(57)【要約】      （修正有）【課題】足裏のツボを足動でマッサージする場合に、ツボから外れ逃げて行かないようにボールが溝の中を転がって、マッサージのツボの位置を外さないで足動で足裏をマッサージすることが可能な足動足裏マッサージ器を提供する。【解決手段】マッサージ器の足置き台１の平面にボール入れの左の溝２と右の溝２を設けてその中にボール４を入れて足ツボにボール４を当てて転がしても溝の外に転がり出ないように溝２に内側壁３を設け、ボール４の上に足を置き足動をして足ツボを圧迫してマッサージを行う。足置き台１の台板の平面に貼って足ツボの位置を表示する足ツボ図と、溝２の内側壁３の高さを調整する調節板６を溝底に入れ替えてボールの高さを調節する柔軟な調節板６とを備える。左右の溝２の中にボール４を入れて足裏で転がしてツボを圧迫してマッサージする。【選択図】図２
0003187668.tif 000002
【実用新案登録請求の範囲】
【請求項１】
マッサージ器は足置き台の平面の上板と底板から構成され、上板にボール入れの左の溝と右の溝を設けてボールを入れても溝の外に転がり出ないように内側壁を設け、足置き台の台板の平面に貼ってツボの位置を表示する足ツボ図を貼り、溝の内側壁の高さを調整する調節板を溝底に入れ替えてボールの高さを調節する柔軟な調節板を備え、該足置き台の溝の中にツボを圧迫するボールを入れて足裏を乗せボールを転がしてマッサージすることを特徴とする足動足裏マッサージ器。
【考案の詳細な説明】
【技術分野】
【０００１】
本考案は、足裏のツボを外さない足動足裏マッサージ器に関するものである。
【背景技術】
【０００２】
脚部のマッサージ器を電動式にした一部のマッサージ器は、コインの対価の範囲で作動する時間に限界があり、マッサージ器の中に足を入れている状態のまま自動的に電源が切れるため、マッサージ器の中に挟まれた足を抜き取るために再度コインを投入して足を外す経験をしたので注意する必要がある。ボールで足のツボを圧迫するマッサージ器は、ボールを用いて自分の意思で足を揉みほぐせる利点がある。
【０００３】
ボールで足のツボを圧迫するマッサージ器として特許文献１の公報に開示された「マグネット・ボールマッサージ器具」、特許文献２に開示された「ゴルフボールを利用したマッサージ器具」、特許文献３の公報に開示された「いぼいぼボールマッサージャー」などの先行技術文献がある。特許文献３は、いぼいぼボールに軸を通してボールが軸の周りを回転するマッサージ器である。軸の周りに回転するいぼいぼボールで足ツボを圧迫するため、ボールを足ツボに当てて足を移動させてマッサージをする場合安定したマッサージができないという問題がある。
【０００４】
特許文献１、特許文献２、特許文献３、特許文献４のようにボールを用いたマッサージ器は、足の移動で足裏に無数にある足ツボのポイントを選択して効果を確認するものである。しかし、足ツボのマッサージにボールを利用するときには、足裏の範囲内でボールを前後左右に移動させる必要がある。特許文献４に開示された平面の上でボールを転がしてツボを刺激するマッサー器は、ボールの移動が自由であるが、足裏の範囲内だけでなくボールが外に転がってツボを外れるので、足ツボを刺激するボールの移動を正確にできないという欠点があった。
【先行技術文献】
【特許文献】
【０００５】
【特許文献１】特開２００４−１７４１９３号公報
【特許文献２】特開２００６−１０２４３９号公報
【特許文献３】特開２００７−２０９７２０号公報
【特許文献４】実用新案登録第３０９９６９９号公報
【考案の概要】
【考案が解決しようとする課題】
【０００６】
解決しようとする問題点は、足置き台の上にボールを入れる楕円形の溝を設け、足置き台上に貼り付けた足ツボ図を見てツボを確認しながら、自分の意思で自由に溝の中のボールを転がして足裏を圧迫して足ツボをマッサージする構造において、足ツボに当てたボールがツボから外れて逃げて行かないように内側壁を高く設けた溝の中にボールを置いて足動で足ツボをマッサージするようにした点である。
【課題を解決するための手段】
【０００７】
本考案は、マッサージ器の足置き台上に左右に楕円形の溝を設け、足裏を描いた足ツボ図を左右の溝間に貼り、多数の足ツボがあるマッサージのポイントをボールで圧迫して転がして行くことを可能とするため、足置き台上に設けた左右の溝の中にボールを置いて椅子に腰掛けてボールの上に足を置いて足を前後に動かすとボールは溝の中にあってボールが安定して転がることを最も主要な特徴とする。
【考案の効果】
【０００８】
本考案の足裏マッサージ器は、台上に左右の楕円形の溝を設けてその中に入れたボールを足で押えてボールを移動させて、足ツボ図を確認しながら足を動かしてボールを転がしてツボを圧迫してマッサージするため、足ツボの範囲から内側壁を越えてボールが外れて転がってゆくのを防止することができ、椅子に座って足動で足裏をマッサージするために両手が空いているという利点がある。
【図面の簡単な説明】
【０００９】
【図１】図１は足動足裏マッサージ器の平面図により実施方法を示した説明図である。（実施例１）
【図２】図２は足動足裏マッサージ器の斜視図である。（実施例１）
【図３】図３は足動足裏マッサージ器の断面図により実施方法を示した説明図である。（実施例１）
【考案を実施するための形態】
【００１０】
マッサージ台上の左右に設けた溝の中に足ツボを圧迫するボールがあり、足ツボの位置をボールが移動しながらツボを圧迫してマッサージするという目的を達成するために、足ツボの範囲を内側壁を設けた溝から外れてボールが転がり出ないことを実現した。
【実施例１】
【００１１】
図１は、本考案マッサージ器の１実施例の平面図であって、１はマッサージ器の足置き台、２は足置き台上に左右に設けた溝、３は溝の内側壁、４はボール、５はツボの位置を表示した足ツボ図、６は溝の中に入れたボールの高さ調節板である。図２は１実施例の斜視図、図３はA-A線断面図である。
【００１２】
マッサージ器の足置き台１は、上板８とその底板７から構成され、その上板にボール入れの左の溝２と右の溝２を設け、左右に足ツボを圧迫するボール４を入れて足を動かして転がす溝２を設けた。その左右の溝には内側壁３を設けて、足ツボを圧迫するボールを入れて転がしても足ツボの範囲外に転がり出ないようにした。ある程度の内側壁の高さのある左右の溝２の中に、足裏の形状に合わせてボール４の高さを調節できる調節板６を敷きクッション材とする。更に底板７の裏面に滑り止めを４箇所取り付けて足を早く動かしても安定することができる。
内側壁３の中に調節板６を敷きボール４を入れてもボールの頂点が台上に出てツボを圧迫し、両足でボールを転がす際に溝から転がり出ない程度に溝の深さがあってツボを圧迫する頂点の高さを調節板の厚さで調節することができるようにした。調節板の素材は、例えば弾力性があるゴム製のクッション材を溝底に敷く。
【００１３】
図１平面図及び図２斜視図にマッサージ器の実施方法を図示したように、マッサージ器の足置き台１の平面にツボの位置を紙面に表示した足ツボ図５を貼付けて、溝内ボールの上に載せた両足の間に貼り付けた足ツボ図に表示されたツボを目視確認しながらマッサージをすることができる。
【００１４】
図３A-A線断面図を参照してボールの高さ調節板の実施方法を説明すれば、その左右の溝２の底に高さ調節板６を敷き、ボールは足ツボを圧迫しても足裏の範囲外に転がり出ないためにある程度の高さのある内側壁３を設け、溝の中に敷いた調節板６がクッション材となりボール頂点の高さを調節できるようにした。
【００１５】
このような足動足裏マッサージ器の実施形態を採用したので、台上にある溝のボールがツボを圧迫する足ツボの範囲内から外に転がってゆくことなく、ボールが溝の範囲内で転がって移動しつつツボを圧迫することができる。従って、利用者は椅子に腰掛けて、足動足裏マッサージ器の上に両脚を置いて、利用する両脚の間に足ツボの位置が目視確認でき、効果的にマッサージをすることが容易になる。さらに、ボールが足ツボの範囲を外れて溝の外へ転がってゆくことを防止する効果がある。
【産業上の利用可能性】
【００１６】
マッサージ器の足置き台上に貼り付けた足ツボ図を見て、両脚を動かすことができるので、ツボのマッサージを効率的に気持ちよくすることができる。足置き台の上面には足ツボ図が貼られていて、その図を見ながら自分の症状にあったところをマッサージすることができる。自分の足の形状に合わせて自由に調節板を敷いてボール頂点の刺激を調節できる。本考案はモーターを使わずに椅子に腰掛けたままで足を使ってボールの動きで自分の好みのマッサージができ、両手は自由なのでデスクワークもできる。簡単な構造で持ち運びが容易にできるので登山等の屋外活動で足が疲れた時などでも使用できる。疲れた脚を置いて前後に自分の意思によってボールの上で足を動かすのでリハビリや老人の方達の運動にも利用できる。
【符号の説明】
【００１７】
１    マッサージ器の足置き台
２    足置き台の平面の上板に設けた溝
３    溝の内側壁
４    ボール
５    ツボの位置を表示した足ツボ図
６    ボールの高さ調節板
７    底板
８    上板
【図１】
0003187668.tif 000003
【図２】
0003187668.tif 000004
【図３】
0003187668.tif 000005
【手続補正書】
【提出日】平成25年10月13日(2013.10.13)
【手続補正１】
【補正対象書類名】実用新案登録請求の範囲
【補正対象項目名】全文
【補正方法】変更
【補正の内容】
【実用新案登録請求の範囲】
【請求項１】
平面の上板と底板からなる足動足裏マッサージ器であって、前記上板は、左右に、それぞれボールを有する楕円柱状の溝を有し、それぞれの溝底には、ボールの高さを調節する調節板を備え、前記上板の溝間には、ツボの位置を表示する足ツボ図が貼られていることを特徴とする足動足裏マッサージ器。